(57)【特許請求の範囲】
【請求項１】
釘打ち機やステープル打ち機等のファスニングマシンのノーズ部へボルトにて結合されるファスナーマガジンであって、釘やステープル等のファスナーを案内するガイドレールと、ガイドレールに沿って前後スライド自在なプッシャと、前記プッシャとガイドレールの前部とに介装したゼンマイバネを備え、ゼンマイバネのバネ力によりプッシャをガイドレールの前端方向へ付勢するファスナーマガジンにおいて、
前後両端部に爪部を有し、中央部にボルト穴を設けたゼンマイバネ係止具を形成し、ガイドレールの前部に形成されたボルト穴の後方に前後方向の長穴を設け、ゼンマイバネ係止具の前側爪部をガイドレールの前縁部へ掛け、後側爪部を前記長穴へ挿入して、ゼンマイバネ係止具をガイドレールへ重ね合わせたときに、ガイドレールのボルト穴とゼンマイバネ係止具のボルト穴とが一致するように形成し、
ゼンマイバネの内周側端部を前記プッシャへ係止し、ゼンマイバネの外周側端部に形成した係止穴を前記ゼンマイバネ係止具の後側爪部へ係合させ、ガイドレールのボルト穴及びゼンマイバネ係止具のボルト穴とノーズ部のボルト穴とを合致させ、上記三つのボルト穴へボルトを挿入してガイドレールとノーズ部とを結合することにより、ゼンマイバネの先端部が固定されるように構成したファスナーマガジンのゼンマイバネ取付け装置。
【発明の詳細な説明】
【０００１】
【発明の属する技術分野】
この発明は、釘打ち機等のファスニングマシンに装着されるファスナーマガジンのゼンマイバネ取付け装置に関するものであり、特に、組立ての容易化を図ったファスナーマガジンのゼンマイバネ取付け装置に関するものである。
【０００２】
【従来の技術及び発明が解決しようとする課題】
ステープル打ち機や釘打ち機等のファスニングマシンにおいて、ファスニングマシンのノーズ部に連結したファスナーマガジンにバネ駆動式のプッシャを備え、プッシャによりステープル或いは釘を前方へ押してノーズ部へ供給する形式のファスニングマシンが、広く一般に用いられている。
【０００３】
ファスナーマガジンは、ファスナー（釘またはステープル）を案内するガイドレールとプッシャとゼンマイバネによって構成され、ゼンマイバネの内周側端部をプッシャに固定し、外周側端部をファスナーマガジンの前部とノーズ部とを結合するボルトに係止して、ゼンマイバネのバネ力によりプッシャを常時前方へ付勢し、プッシャによりガイドレール上のファスナーを前方へ圧送する。
【０００４】
ファスニングマシンの製造時や、ゼンマイバネを交換するために取り外したファスナーマガジンをファスニングマシンへ再び組付ける際は、プッシャに装着したゼンマイバネの外周側先端部を前方へ引張って、先端部に形成されている穴とファスナーマガジンの前部のボルト穴とを合致させるとともに、これら二つの穴をファスニングマシンのノーズ部のボルト穴と合致させ、ファスナーマガジンの前部とノーズ部とによってゼンマイバネの外周側端部を挟み、ボルトを三つの穴に挿通してネジ止めする。即ち、ゼンマイバネを引っ張りつつファスナーマガジンを保持し、上記三つの穴を位置合わせしてボルトを挿入しなければならないので、ファスナーマガジン及びゼンマイバネの組付けが難しいという問題がある。
【０００５】
そこで、ファスニングマシンへのファスナーマガジンの組付けを容易化するために解決すべき技術的課題が生じてくるのであり、本発明は上記課題を解決することを目的とする。
【０００６】
【課題を解決するための手段】
この発明は、上記目的を達成するために提案するものであり、釘打ち機やステープル打ち機等のファスニングマシンのノーズ部へボルトにて結合されるファスナーマガジンであって、釘やステープル等のファスナーを案内するガイドレールと、ガイドレールに沿って前後スライド自在なプッシャと、前記プッシャとガイドレールの前部とに介装したゼンマイバネを備え、ゼンマイバネのバネ力によりプッシャをガイドレールの前端方向へ付勢するファスナーマガジンにおいて、前後両端部に爪部を有し、中央部にボルト穴を設けたゼンマイバネ係止具を形成し、ガイドレールの前部に形成されたボルト穴の後方に前後方向の長穴を設け、ゼンマイバネ係止具の前側爪部をガイドレールの前縁部へ掛け、後側爪部を前記長穴へ挿入して、ゼンマイバネ係止具をガイドレールへ重ね合わせたときに、ガイドレールのボルト穴とゼンマイバネ係止具のボルト穴とが一致するように形成し、ゼンマイバネの内周側端部を前記プッシャへ係止し、ゼンマイバネの外周側端部に形成した係止穴を前記ゼンマイバネ係止具の後側爪部へ係合させ、ガイドレールのボルト穴及びゼンマイバネ係止具のボルト穴とノーズ部のボルト穴とを合致させ、上記三つのボルト穴へボルトを挿入してガイドレールとノーズ部とを結合することにより、ゼンマイバネの先端部が固定されるように構成したファスナーマガジンのゼンマイバネ取付け装置を提供するものである。
【０００７】
【発明の実施の形態】
以下、この発明の実施の一形態を図に従って詳述する。図１は釘打ち機のノーズ部分を示し、図２は図１のＡ−Ａ線断面図、図３は図１のＢ−Ｂ線断面図であり、１は、釘打ち機のシリンダハウジング部（図示せず）の先端開口部に取付けられるノーズ部、２は釘マガジンである。
【０００８】
図１の裏面側でボルトとナットとによってノーズ部１に結合された釘マガジン２は、釘を案内するガイドレール３とプッシャ４とゼンマイバネ５とからなり、ガイドレール３は後方（図１において右）の斜め上に向かって直線的に延びている。図示は省略するが、ガイドレール３の後半部の上面は開放されていて、プッシャ４を手動で後退させて上方からガイドレール内へ連結形釘Ｎを装填するように形成されている。
【０００９】
図４はゼンマイバネ係止具６を示し、正面形状は釘マガジン２のガイドレール３の先端部の形状に合わせた台形であり、中央にボルト穴７が形成されていて、角形回り止め座金の如く上下の二辺を直角に折曲げて爪部８，９とし、左右の二辺にも直角に折り曲がる爪部１０，１１が形成されている。この内、後ろ側となる左辺の爪部１１は三日月形にプレス成形されていて、ゼンマイバネ５の先端部位に形成された丸穴５ａに挿入するバネ係止爪としている。
【００１０】
図３及び５に示すように、釘マガジン２のガイドレール３の先端部にはボルト穴１２が形成され、その後方に前後に長い長穴１３が設けられており、ゼンマイバネ係止具６のバネ係止爪１１を長穴１３に挿入し、上下と前側（右）の爪部８，９，１０をガイドレール３の上下両辺並びに前端辺に係合させれば、ゼンマイバネ係止具６のボルト穴７とガイドレール３のボルト穴１２とが合致し、且つゼンマイバネ係止具６は回転不能となる。
【００１１】
釘打ち機のノーズ部１へ釘マガジン２を組付ける際は、釘マガジン２のプッシャ４を移動範囲の前端へスライドさせて、プッシャ４に装着されているゼンマイバネ５の先端部を前方へ引き、図６に示すように、ゼンマイバネ係止具６のバネ係止爪１１を長穴１３内に挿入して、ゼンマイバネ５の丸穴５ａにバネ係止爪１１を挿入する。
【００１２】
そして、ゼンマイバネ係止具６を前方（右側）へ引いて、上下と右の爪部８，９，１０をガイドレール３の上下両辺並びに前端辺に係合させれば、ゼンマイバネ５が緊張され、且つ、ゼンマイバネ係止具６のボルト穴７とガイドレール３のボルト穴１２とが合致する。この状態で釘マガジン２を保持して、図３に示すように、ガイドレール３とゼンマイバネ係止具６のボルト穴７，１２を釘打ち機のノーズ部１のボルト穴１ａに位置合わせしてボルト１４を差し込み、ボルト１４とナット１５とを締結すれば、釘マガジン２が釘打ち機のノーズ部１に結合される。
【００１３】
尚、この発明は上記の実施形態に限定するものではなく、この発明の技術的範囲内において種々の改変が可能であり、この発明がそれらの改変されたものに及ぶことは当然である。
【００１４】
【発明の効果】
以上説明したように、本発明のファスニングマシンのゼンマイバネ取付け装置によれば、プッシャ駆動用のゼンマイバネの先端部をファスナーマガジンの前部に係止して固定できるので、釘マガジンを釘打ち機に組付ける際は、釘マガジンのボルト穴と釘打ち機のボルト穴とを位置合わせしてボルトを締めつければよく、ゼンマイバネを引っ張ってゼンマイバネの穴と釘マガジンのボルト穴と釘打ち機のボルト穴の三つの穴を位置合わせしてボルトを挿通する従来の手順に較べて組立てが非常に容易であり、製造並びにメインテナンスの作業性が著しく向上する。
【図面の簡単な説明】
【図１】釘打ち機と釘マガジンの連結部分を示す右側面解説図。
【図２】図１のＡ−Ａ線矢視断面端面図。
【図３】図１のＢ−Ｂ線矢視断面端面図。
【図４】ゼンマイバネ係止具の斜視図。
【図５】釘マガジンの先端部分の左側面図。
【図６】ゼンマイバネの取付け手順を示す解説図。
【符号の説明】
１        ノーズ部
１ａ      ボルト穴
２        釘マガジン
３        ガイドレール
４        プッシャ
５        ゼンマイバネ
６        ゼンマイバネ係止具
６ａ      丸穴
７        ボルト穴
１１        バネ係止爪
１２        ボルト穴
１３        長穴
１４        ボルト
１５        ナット
【図１】
0003835069.tif 000002
【図２】
0003835069.tif 000003
【図３】
0003835069.tif 000004
【図４】
0003835069.tif 000005
【図５】
0003835069.tif 000006
【図６】
0003835069.tif 000007